(57)【要約】【課題】食器のセットを容易にするとともに皿類を安定して保持する。【解決手段】横倒れ姿勢で食器３の口縁部３ａの下部と係止する係止部材１と、前記係止部材を設けた基体２とを備え、前記係止部材は、食器の口縁部を収容する収容部６と、前記収容部に食器の口縁部を位置させて複数方向から係止可能な係止部４とを有し、前記基体２は、高低差を設けて平行に配置したものである。【選択図】図１
2010115220.tif 000002
【特許請求の範囲】
【請求項１】
横倒れ姿勢で食器の口縁部の下部と係止する係止部材と、前記係止部材を設けた基体とを備え、前記係止部材は、食器の口縁部を収容する収容部と、前記収容部に食器の口縁部を位置させて複数方向から係止可能な係止部を有し、前記基体は、高低差を設けて平行に配置した食器設置具。
【請求項２】
基体は、１対の第１の基材の内側に前記第１の基材より高さの低い第２の基材を設けた請求項１記載の食器設置具。
【請求項３】
複数の第２の基材に高低差を設けた請求項２記載の食器設置具。
【請求項４】
基体は、第１の基材を第１の間隔で設置した第１のエリアと、第２の間隔で設置した第２のエリアを備えた請求項１〜３のいずれか１項に記載の食器設置具。
【請求項５】
請求項１〜４のいずれか１項に記載の食器設置具を備えた食器洗い機。
【請求項６】
請求項１〜４のいずれか１項に記載の食器設置具を備えた食器乾燥機。
【発明の詳細な説明】
【技術分野】
【０００１】
本発明は、食器を設置する食器設置具およびこの食器設置具を設けた食器洗い機、食器乾燥機に関するものである。
【背景技術】
【０００２】
従来、食器の収納や食器の水切りを行う一般的な食器設置具は、所定の間隔を隔てて設けた複数の係止部によって食器を横倒れ姿勢で係止するものがある（例えば、特許文献１参照）。図４１は、上記特許文献１に記載された食器かごの側面図で、碗類、丼、サラダボウルなどの深さのある食器を収納することができるものである。
【０００３】
図４１に示すように、丼用保持部１０１は、丼や丼と同様な形状を呈する大型の汁碗等の丼状の食器１０２を横倒れ姿勢で保持できるように構成されている。すなわち、丼用保持部１０１は、横倒れ姿勢にした食器１０２の口縁部１０３の下部１０３ａを係止部１０４に係止し、かつ、その横倒れ姿勢の食器１０２が底部側へ転動しないように、所定の間隔で設けた隣接する係止部１０４で食器１０２の側周部を支持するように構成されている。そして、前記複数の係止部１０４は、間隔を隔てて一列状に並べて設けられており、横倒れ姿勢にした食器１０２を上方から見たときの口縁部１０３を同じ方向に向けてセットするように構成したものである。
【０００４】
また、図４２に示すように、碗類セットかご１０５の長手方向の両辺１０６に、上向きに伸び、かつ、上部で内側に曲がる屈曲部を持った複数個のセットピン１０７を設け、直径の大きな食器１０８をセットするときは、その口縁部１０９を係止する左右のセットピン１０７をずらして食器１０８を斜めにセットするようにすることも考えられている（例えば、特許文献２参照）。
【特許文献１】特開２００３−１５９２０６号公報
【特許文献２】特開平３−２１５２３３号公報
【発明の開示】
【発明が解決しようとする課題】
【０００５】
しかしながら、上記特許文献１に記載のものでは、係止部１０４が一列状に並べて設けられているため、食器１０２がセット可能な方向（上方から見たときの食器の口縁部の向き）は、係止部１０４が並んでいる限定された一方向にしか食器をセットすることができないものである。
【０００６】
また、上記特許文献２に記載のものでは、直径の大きさが異なる複数種類の食器のセットが可能であるが、上記特許文献１に記載のものと同様に、セットピン１０７が並んでいる方向に食器の方向が限定される。
【０００７】
一般的に、食器をセットするときは、食器のセットに用いる手が、右手か左手かといった使用者の利き手によって食器セットの容易性が異なる。また、使用者が食器設置具の右側もしくは左側に立っているかといった食器設置具と使用者との位置関係によっても食器セットの容易性が異なる。そのため、手に持った食器がセット方向と異なる場合は、食器の向きを変えるために腕を捩じったり、食器を他方の手に持ち替えるという動作が生じて使い勝手が悪く、使用者の利き腕や食器設置具に対する位置によって、最もセットがし易い向きに食器をセットすることができないという問題があった。
【０００８】
本発明は、上記従来の課題を解決するもので、食器のセットを容易にして、使い勝手を
よくすることを目的としている。
【課題を解決するための手段】
【０００９】
前記従来の課題を解決するために、本発明の食器設置具は、横倒れ姿勢で食器の口縁部の下部と係止する係止部材と、前記係止部材を設けた基体とを備え、前記係止部材は、食器の口縁部を収容する収容部と、前記収容部に食器の口縁部を位置させて複数方向から係止可能な係止部を有し、前記基体は、高低差を設けて平行に配置したものである。これにより、最もセットがし易い向きに食器をセットすることができるようになり、使い勝手をよくすることができる。さらに、基体に高低差を設けることで、低い位置の基材上にある係止部材に食器の口縁部を係止させてセットした場合、食器口縁部が高い位置の基材によって保持されるため、左右に転がることなく安定してセットすることができる。したがって、食器の種類ごとに個別の異なる係止部材を設ける必要がなくなり、食器を種類に関係なく、食器設置具内でセットしたい箇所にセットすることができ、食器の種類ごとに制約があったセットできる個数を大幅に増やすことができ、食器設置具内を有効に利用することができる。
【発明の効果】
【００１０】
本発明の食器設置具は、食器が容易に安定してセットでき、使い勝手をよくすることができる。
【発明を実施するための最良の形態】
【００１１】
第１の発明は、横倒れ姿勢で食器の口縁部の下部と係止する係止部材と、前記係止部材を設けた基体とを備え、前記係止部材は、食器の口縁部を収容する収容部と、前記収容部に食器の口縁部を位置させて複数方向から係止可能な係止部を有し、前記基体は、高低差を設けて平行に配置したことにより、食器を複数の方向にセットすることができ、使い勝手をよくすることができる。したがって、食器の向きをかえるために腕を捩じったり、食器を他方の手に持ち替える無駄な動作をなくして、最も置き易い向きに食器をセットすることができる。さらに、基体に高低差を設けることで、低い位置の基材上にある係止部材に食器の口縁部を係止させてセットした場合、食器口縁部が高い位置の基材によって保持されるため、左右に転がることなく安定してセットすることができる。したがって、食器の種類ごとに個別の異なる係止部材を設ける必要がなくなり、食器を種類に関係なく、食器設置具内でセットしたい箇所にセットすることができ、食器の種類ごとに制約があったセットできる個数を大幅に増やすことができ、食器設置具内を有効に利用することができる。
【００１２】
第２の発明は、特に、第１の発明の基体は、１対の第１の基材の内側に前記第１の基材より高さの低い第２の基材を設けたことにより、第２の基材に食器の口縁部の中央がくるようにセットすることで、１対の第１の基材と第２の基材の３点で保持することができ、食器が左右に転がることなく安定したセットができる。
【００１３】
第３の発明は、特に、第２の発明の基体は、複数の第２の基材に高低差を設けたことにより、外円部の曲率が異なる複数の食器に対応してそれぞれ安定してセットすることができる。
【００１４】
第４の発明は、特に、第１〜第３のいずれか１つの発明の基体は、第１の基材を第１の間隔で設置した第１のエリアと、第２の間隔で設置した第２のエリアを備えたことにより、外円部の曲率が異なる複数の食器に対応してそれぞれ安定してセットすることができる。
【００１５】
第５の発明は、特に、第１〜第４のいずれか１つの発明の食器設置具を備えた食器洗い
機であり、食器の形状等により予め設定されているセット場所に拘束されることがなく、任意の場所と方向へ食器をセットすることができる。また、基材に高低差があることで、食器内部に洗浄水が効率よく流入でき洗浄効果を高めることができるとともに、安定して保持することができる。
【００１６】
第６の発明は、特に、第１〜第４のいずれか１つの発明の食器設置具を備えた食器乾燥機であり、食器の形状等により予め設定されているセット場所に拘束されることがなく、任意の場所と方向へ食器をセットすることができる。また、碗類の糸底の水切りができ、効率よく乾燥させることができるとともに、基材に高低差があることで食器内部に温風が効率よく流入でき乾燥性能を高めることができる。
【００１７】
以下、本発明の実施の形態について、図面を参照しながら説明する。なお、本実施の形態によって本発明が限定されるものではない。
【００１８】
（実施の形態１）
図１は本発明の実施の形態１の食器設置具に食器をセットした状態の斜視図、図２はその断面図、図３は食器を３方向からセットした状態の各々の平面図である。
【００１９】
図１〜図３において、係止部材１は合成樹脂の成型品等からなり、平板状の基体２に取り付けられている。係止部材１は、例えば、碗類等の食器３の口縁部３ａを複数方向から係止することが可能な係止部４を有し、水平方向へ放射状に３場所設けている。係止部材１は、多角柱形状の支持部５で基体２の上に固定されており、基体２と係止部４との間に収容部６を形成している。この収容部６に横倒れ姿勢で食器３の口縁部３ａの下部を位置させて係止部４の下面側に係止する。
【００２０】
横倒れ姿勢で係止部４の下面側に係止させた食器３は、基体２の上面でその側周部３ｂが支持され、係止部４と基体２とで横倒れ姿勢の状態に保持される。食器３は、糸底３ｃ側に重心が位置するように傾けて置かれ、食器３の重みが口縁部３ａを介して係止部４の下面側から上方へ作用するようにして、安定した保持が得られるようにしている。
【００２１】
以上のように構成された食器設置具について、以下その動作を説明する。食器設置具に食器３をセットするときは、係止部材１の上方から食器３を基体２の近傍まで近づけ、収容部６に食器３の口縁部３ａを収容する。その後、収容部６を中心に食器３の側周部３ｂが基体２の上面に接するまで食器３の角度θを変え、糸底３ｃ側へ傾けて口縁部３ａを係止部４の下面側と接触させて係止し、食器３を安定して保持させる。なお、「角度」とは、食器３を側面からみたときの傾きのことである。
【００２２】
図３のように、水平方向へ３方向に設けた各々の係止部４に対して食器３の口縁部３ａを係止することができ、複数方向から食器３をセットすることができる。
【００２３】
なお、本実施の形態では、１点の食器３を１場所の係止部４に係止させているが、図３（ｂ）の鎖線で示すように１点の食器３を、同一の係止部材１に設けられた二つの係止部４に係止させるようにしてもよい。この場合は、２場所の係止部４によって、食器３をより安定して係止することができる。
【００２４】
なお、本実施の形態では、係止部材１に３場所の係止部４を設けたものであるが、この限りではなく、複数個の係止部４を備えていればよい。
【００２５】
図４は、本実施の形態の他の例を示したもので、係止部４の下面側の先端部に突起７を下方へ突出するように設けたものであり、食器３をより安定して保持することができる。
また、係止部４の近傍の基体２の上面に、下方へ円弧状に窪ませた凹部２ａを設けてあり、係止部４の先端部の直下が深く、係止部材１を囲むように設けたその外周縁２ｂは、係止部４の先端部より外方に位置させて浅くなるように傾斜させている。
【００２６】
これにより、食器３の口縁部３ａを円弧状の凹部２ａに沿って係止部４の下面側に滑り込ませることができるので、食器３のセットが容易になる。なお、この凹部２ａは、係止部４の下方に対向させて放射状に形成してもよい。
【００２７】
図５は、本実施の形態の他の例を示したもので、基体２をステンレスなどの金属材料からなる線材によって三角格子状に設けたものであり、開口部２ｃが形成されるようにしたものである。基体２を三角格子状に設けることにより、食器３は係止部４の下部から放射状に延びる２辺２ｄで側周部３ｂが支持され、食器３を安定して保持することができる。そして、基体２に開口部２ｃが形成されていると、食器洗い機や食器乾燥機の食器設置具として用いた場合、洗浄水や温風が開口部２ｃをスムーズに通過し、洗浄性能や乾燥性能が向上する。
【００２８】
なお、基体２は、金属材料の線材により網目状や格子状に設けて開口部２ｃを形成するほか、係止部材１を一体に成形した合成樹脂製の基体に、所定の大きさと間隔で開口部を形成しても良い。
【００２９】
なお、係止部材１は、それ自体またはその表面をゴムなどの摩擦係数の大きい材料や、ワイヤー、ステンレスなどの金属部材で構成することができる。摩擦係数の大きい材料で構成した場合は、食器３を係止部４に係止したときに滑りにくく、係止部４からの不用意な離脱を防止することができる。
【００３０】
なお、収容部６は、基体２と係止部４との間に設けているが、セットする食器の形状によっては、係止部４への係止位置が変化するため、収容部６は、必ずしも係止部４と基体２との間に設ける必要はなく、係止部４の下面側に食器３の口縁部３ａが係止可能に収容される収容部６が設けられていればよい。
【００３１】
また、係止部材１に支持部５を設けているが、収容部６を形成するための一実施例であり、係止部４の下面側に食器３の口縁部３ａが係止されるように、口縁部３ａが収容可能であれば必ずしも必要ではない。
【００３２】
（実施の形態２）
図６は本発明の実施の形態２の食器設置具に食器をセットした状態の斜視図、図７はその断面図、図８は食器３を６方向からセットした状態の各々の平面図である。本実施の形態において、実施の形態１と同様の部分については同一符号を附し、その詳細な説明は省略する。
【００３３】
図６〜図８において、係止部材１は平面円形状に形成されており、係止部材１の上部は円柱、下部は上方より下方の径が小さい平面円形状をしている。基体２は直線状のワイヤーで構成されており、ワイヤーはピッチ（角度）Ａが６０度で設けられワイヤーの交差する場所に係止部材１が固定されている。
【００３４】
本実施の形態によれば、係止部材１を平面円形状に設けているため、係止部４はその全周に形成される。したがって、食器３は係止部４に対して口縁部３ａを複数方向から係止可能であり、任意の方向から食器３をセットできる。図８に示すように、係止部材１から放射状に延びるワイヤー２の角度Ａを６０度に設定しているため、（ａ）〜（ｆ）のように食器を６方向からセットすることができる。係止部４に対して口縁部３ａを任意の方向
に係止すると、放射状に延びる２辺２ｄで側周部３ｂが支持され、食器３を安定して保持することができる。
【００３５】
なお、角度Ａは６０度のほか複数方向へセットできるものであれば、他の角度に設定可能である。また、図８では１つの係止部材１に対して１つの食器３を係止させているが、１つの係止部材１に対して複数の食器３を係止させても良い。
【００３６】
また、本実施の形態では、係止部材１の上面を平面状に形成しているが、中央部が盛り上がった形状でもよい。この場合は、食器洗い機や水切りかごなどに用いた場合、水や汚れが係止部材１の上面に留まるのを防止することができる。
【００３７】
（実施の形態３）
図９は本発明の実施の形態３の食器設置具に食器をセットした状態の斜視図、図１０はその断面図、図１１は食器３を８方向からセットした状態の各々の平面図である。本実施の形態において、実施の形態１および２と同様の部分については同一符号を附し、その詳細な説明は省略する。
【００３８】
図９〜図１１において、係止部材１の上部は直方体に形成され、下部は上方より下方の径が小さい平面円形状をしている。基体２の上面には係止部材１の周囲に球面状の凹部２ａを形成している。凹部２ａは、下方へ円弧状に窪ませてあり、その外周縁２ｂが係止部４の先端部より外方に位置させて浅くなるように傾斜させている。
【００３９】
以上のように構成された食器設置具について、以下その動作を説明する。食器設置具に食器３をセットするときは、係止部材１の上方から係止部材１の直方体部分の角、もしくは、辺の近傍を狙って食器３を基体２の近傍まで近づけ、収容部６に食器３の口縁部３ａを収容する。その後、食器３の側周部３ｂが基体２の上面に接触するように糸底３ｃ側へ傾けて食器３を安定して保持させる。
【００４０】
本実施の形態によれば、係止部材１に対して複数方向に食器をセットできるとともに、図１１のように食器３は係止部材１の角、もしくは、辺を狙ってセットできるため、（ａ）〜（ｈ）のように食器を８方向からセットすることができ、食器３のセットを容易にすることができる。
【００４１】
なお、係止部材１は、上部を直方体としているが、三角柱や六角柱といった多角柱でもよい。
【００４２】
（実施の形態４）
図１２は本発明の実施の形態４の食器設置具に食器をセットした状態の斜視図、図１３はその断面図である。本実施の形態において、実施の形態１〜３と同様の部分については同一符号を附し、その詳細な説明は省略する。
【００４３】
図１２および図１３において、係止部材１は、上面および下面が略球面状に形成されており、下面で食器を係止する。係止部材１の下面が基体２と接続されている。なお、球面状とは表面が滑らかな球面だけではなく、表面に小さな突起や窪みを有したものも含まれる。
【００４４】
本実施の形態によれば、使用者が食器３をセットするときに、誤って係止部材１の上部に食器３の口縁部３ａの下端を接触させても、球面状の表面に沿って食器３がその周縁方向へ滑るため、食器３に加わる衝撃を緩和することができ、破損する可能性を低減させることができる。また、食器３が係止部材１の周縁方向へ滑るため、食器３を係止部材１の
係止位置へ導くことができる。
【００４５】
また、係止部材１の下面を球面状にしたことにより、食器３に係止部４との接触による傷がつきにくく、係止部４の下方に形成される収容部６の周縁側の空間が大きくでき、食器３のセットおよび取り出しを容易にすることができる。
【００４６】
なお、図１４（ａ）は、係止部材１の他の例を示したもので、球体状にしたものである。食器３をセットするときに食器３が係止部材１に接触しても、球面に沿って食器３の口縁部３ａを収容部６へと導き、収容部６への収容を容易にすることができる。
【００４７】
また、図１４（ｂ）は、係止部材１を球体としたものの他の例を示したもので、球体の表面に縦方向に複数の凹部１ａを設けたものである。この場合は、食器３と係止部材１との間の空間が大きくなり、食器洗い機や食器乾燥機に本食器設置具を用いた場合に、洗浄水が落下しやすくなるとともに、噴射された洗浄水や、乾燥用空気が係止部材１の凹部１ａを通り、効率よく食器に接触させることができる。
【００４８】
（実施の形態５）
図１５は本発明の実施の形態５の食器設置具の斜視図、図１６は食器設置具に形状の異なる複数の食器をセットした状態の平面図、図１７〜図２４はそれぞれの食器を個別にセットした状態の斜視図とその断面図、図２５は食器３を１２方向からセットした状態の各々の平面図である。本実施の形態において、実施の形態１〜４と同様の部分については同一符号を附し、その詳細な説明は省略する。
【００４９】
図１５および図１６において、合成樹脂製の角材からなる基体２は所定の間隔で複数本設けられ、それぞれの基体２を角材と垂直方向に設けられた角材からなる基体連結部２ｅで基体２を略平行に連結している。それぞれの基体２には、所定の間隔で複数個の球体から構成される係止部材１、および、その下部に基体２と接続するように設けられた円柱状の支持部５が設けられている。係止部材１および支持部５は基体２に所定の間隔で設けてあり、図１６のように平面視で正三角格子状に設けられていることが好ましい。
【００５０】
次に、図１７〜図２４を用いて大きさおよび形状の異なる食器３について、それぞれ個別に説明する。子供用の茶碗や小鉢といったサイズが小さく深い食器３Ａをセットする際は、図１７および図１８に示すように、係止部材１の上方から係止部材１の近傍を狙って食器３Ａを基体２の近傍まで近づけ、収容部６に食器３Ａの口縁部３ａの下部を収容して１つの係止部４に係止し、食器３Ａの糸底３ｃを隣接した係止部材１で支持させる。食器３Ａの大きさや形状によっては側周部３ｂを支持することもある。この場合は、食器３Ａの口縁部３ａを１つの係止部材１の係止部４に係止し、糸底３ｃまたは側周部３ｂを１つの係止部材１で支持するものである。
【００５１】
また、茶碗や汁碗、丼といった食器３Ｂをセットする際は、図１９および図２０に示すように、係止部材１の上方から係止部材１の近傍を狙って食器３Ｂを基体２の近傍まで近づけ、食器３Ｂの口縁部３ａを１つの係止部材１に係止し、食器３Ｂの口縁部３ａを係止した係止部材１と隣接する２個の係止部材１で食器３Ｂの側周部３ｂを支持する。この場合は、食器３Ｂの口縁部３ａを１つの係止部材１の係止部４に係止し、側周部３ｂを２つの係止部材１で支持するものである。
【００５２】
また、丸皿のような食器の口縁部が比較的薄い食器３Ｃをセットする場合は、図２１および図２２に示すように、係止部材１の上方から２つの係止部材１の間へ食器（丸皿）３Ｃを基体２の近傍まで近づけ、食器（丸皿）３Ｃの口縁部３ａを２つの係止部材１に係止し、（丸皿）３Ｃの口縁部３ａを係止した係止部材１と隣接する１つの係止部材１で食器
（丸皿）３Ｃの裏面を支持するものである。
【００５３】
また、角皿のような食器の口縁部が比較的薄く、平らな口縁部３ａを備えた食器３Ｄをセットする場合は、図２３および図２４に示すように、係止部材１の上方から係止部材１の間へ食器（角皿）３Ｄを基体２の近傍まで近づけ、食器（角皿）３Ｄの口縁部３ａを複数の係止部材１に係止し、食器（角皿）３Ｄの口縁部３ａを係止した係止部材１と隣接する複数の係止部材１で食器（角皿）３Ｄの裏面を支持するものである。
【００５４】
本実施の形態によれば、種類、大きさおよび形状の様々な食器に最適な状態に安定してセットできるとともに、手に持っている食器の置きやすい任意の方向に向けて容易にセットすることができる。
【００５５】
また、図２５は係止部材１の配列の角度Ｂを６０度に設定し正三角格子状に配置したものである。この構成によれば、３つの係止部材１により食器３を３点保持できる場所を最も多く設けることができる。例えば、１つの係止部材１で食器３の口縁部３ａを係止し、隣接する２つの係止部材１で食器３を支持すると、（ａ）〜（ｌ）の１２通りの安定した食器の保持が可能である。そのため、食器セット時の自由度が向上し、使用者の利き手や、立ち位置などによらず、使用者が最もセットしやすい方向に食器をセットすることができる。
【００５６】
なお、本実施の形態では、角材の基体を並列させて配置させているが、基体２を実施の形態１のように正三角格子状に配置しても良い。この場合は、実施の形態１と同様に、格子の両辺に食器が保持されるため、より安定して食器を保持することができる。
【００５７】
また、図２５では、係止部材１を正三角格子状に配置しているが、正方形の格子状に配置しても良い。この場合は、食器３を８方向にセットすることができる。
【００５８】
（実施の形態６）
図２６は本発明の実施の形態６の食器設置具の斜視図、図２７は食器設置具に形状の異なる複数の食器をセットした状態の斜視図である。本実施の形態において、実施の形態１〜５と同様の部分については同一符号を附し、その詳細な説明は省略する。
【００５９】
図２６および図２７において、合成樹脂製の角材からなる基体２は所定の間隔で複数本設けられ、それぞれの基体２を角材と垂直方向に設けられた角材からなる基体連結部２ｅで基体２を略平行に連結している。球体から構成される係止部材１および円柱から構成される支持部５は、所定の間隔Ｃ１で基体２に複数個設けられている。そして、基体２は所定の間隔Ｃ２で複数個設け、第１のエリアＣを構成している。
【００６０】
第２のエリアＤは、球体から構成される係止部材１および円柱から構成される支持部５を、第１のエリアＣの係止部材１の間隔Ｃ１より狭い、所定の間隔Ｄ１で基体２に複数個設け、基体２を所定の間隔Ｄ２に設定し複数個設けている。
【００６１】
基体２の間隔は、第１のエリアよりも第２のエリアの方が基体２の間隔が狭くなるように、Ｃ２＞Ｄ２に設定している。そして、間隔Ｃ１とＣ２との関係、および間隔Ｄ１とＤ２との関係は、係止部材１が正三角格子状に配置されるように設定されている。
【００６２】
以上のように構成された食器設置具について、以下その動作を説明する。図２７に示すように、碗類など深さのある食器をセットする際は、食器３Ｂを第１のエリアＣに設けられてある係止部材１に係止させ、皿類など浅い食器３Ｃをセットする際は、第２のエリアＤに設けられてある係止部材１に係止させる。
【００６３】
本実施の形態によれば、様々な方向にセット保持することができるとともに、食器３の種類に応じて最適なエリアを選択し、食器３を安定してセットすることができる。
【００６４】
なお、係止部材１をエリアに応じて形状や色を変化させてもよい。例えば、第２のエリアＤの係止部材１の高さを、第１のエリアＣの係止部材１より高くすることによって、皿類をさらに安定して保持することができる。また、エリアによって色分けすることにより、食器のセット場所を視覚的に判別することができ、食器のセットを容易にすることができる。また、エリアに応じて基体２の形状や色を変えても良い。
【００６５】
（実施の形態７）
図２８は本発明の実施の形態７の食器設置具の斜視図、図２９は食器設置具に食器をセットした斜視図、図３０は食器設置具に食器をセットした状態の食器正面から見た係止箇所を拡大した平面図、図３１は食器設置具に食器を基材と平行にセットした状態の斜視図、図３２は食器設置具の下からセットした食器に洗浄水を噴射する状態の平面図、図３３は食器設置具に基材と平行になるように食器をセットした状態の斜視図、図３４は本発明の実施の形態５の食器設置具にセットした状態の他の一例の斜視図である。本実施の形態において、実施の形態１〜６と同様の部分については同一符号を附し、その詳細な説明は省略する。
【００６６】
まず、図３４について説明すると、横倒れ姿勢で食器３の口縁部３ａの下部と係止する係止部材１と、係止部材１を設けた基体２とを備え、係止部材１は、食器の口縁部３ａを収容する収容部６と、収容部６に食器３の口縁部３ａを位置させて複数方向から係止可能な係止部材１を用いて食器をセットする。１つの係止部材１で食器３の口縁部３ａを係止する場合、食器３が左右に転がったり、ずれるなど、安定性が悪いという課題があった。それを対策する方法として、特に安定性が悪い背が高く薄い形状である皿類に対しては、従来の食器設置具で用いられるような長さのあるピンで保持するエリアを個別に設けるなどして対応せざるを得なかった。その場合、食器設置具内でセットしたい箇所に必ずしもセットできなかったり、食器の種類によってセットできる個数が限られ、食器設置具内を有効に利用できないという問題があった。
【００６７】
そこで、本実施の形態に係る食器設置具を創作した。まず、図２８および図２９において、合成樹脂製の角材からなる基体２は、所定の間隔で複数本設けられた基材を有している。図２８に示すように、略水平面に対して同じ高さに一対の第１の基材２ｇと第１の基材２ｉとが略平行に設けられ、基材２ｇ及び基材２ｉと略等間隔で略平行に、かつ、基材２ｇ及び基材２ｉより高さが低くなるように第２の基材２ｈを設けている。角材からなる基体連結部２ｆは、基材２ｇ、基材２ｉ、及び基材２ｈと略垂直方向に当接して設けられている。それぞれの基材には、所定の間隔で球体から構成される係止部材１、および、その下方に基体２と係止部材１とを接続するように設けられた円柱状の支持部５が、複数個設けられている。係止部材１および支持部５は基体２に所定の間隔で設けてあり、図１６のように平面視で正三角格子状に設けられていることが好ましい。
【００６８】
次に、図３０を用いて本実施の形態の食器設置具にセットされた食器３Ｃ（丸皿）の状態を説明する。なお、食器３Ｃのセットの仕方は本実施の形態１〜６で説明した内容でセットされるものとする。丸皿のように口縁部３ａの外周が円形になっている食器をセットする場合、食器３Ｃ（丸皿）の口縁部３ａは、食器３Ｃの口縁部３ａの最下部に位置する係止部材１で係止される。さらに口縁部３ａの最下部を係止する係止部材１が設けられた基材２ｈの両隣に、所定の間隔をあけて略水平面に対して基材２ｈより所定の間隔で高くなるように配置された１対の基材２ｇおよび基材２ｉと、口縁部３ａとが７Ａおよび７Ｂにおいて当接し保持される。また、食器の側周部は、本実施の形態１〜６でした説明と同
様に、食器３Ｃの側周部３ｂの近傍に位置する基材２ｇおよび基材２ｉ上に設けられた係止部材１によって支持されるものとする。したがって、本実施の形態によれば、図３１の（ａ）に示すように係止点８と支持点７Ａ、７Ｂ、７Ｃ、７Ｄの計５点で係止および支持することが可能であり、特に食器口縁部３ａを複数点で支持していることにより、食器３Ｃが左右へ転がるといったことがなく安定したセットが可能である。
【００６９】
ただし、食器３の口縁部３ａをより低い位置に配置した基材２ｈの上に設けられた係止部材１に係止せずに、より高い位置に配置した基材２ｇおよび２ｉ上に設けられたそれぞれの係止部材１に係止し、食器３の側周部３ｂもしくは糸底部３ｃを基材２ｈ上に設けられた係止部材１で保持するセットの仕方も可能である。この場合、図３１（ｂ）に示すように、食器３の口縁部３ａは基材２ｈ上でも保持点７Ｅによって保持されるため計４点での保持となる。
【００７０】
さらに、本実施の形態の食器設置具を食器洗い乾燥機などに設置した場合、図３２に示すように、食器３Ｃが基材２ｈの高さまで落ち込んでいるため、基材２ｇと基材２ｈの高低差の分、開口部が上下に広くなり、間口距離Ｌが基材２に高低差がない場合の間口距離Ｍより長くなるため、食器３Ｃの内部に効率よく洗浄水および温風が流入し、洗浄性能および乾燥性能を高めることができる。
【００７１】
また、食器３のセット方向については、図２５に示す方向にセットが可能である。具体的には、第１の基材２ｇと平行に食器をセットする場合で、食器３の内部をより高い位置に配置した基材に向けてセットする場合は、図３３（ａ）に示すように、食器３の口縁部３ａは係止部材１で係止せずに、基材２ｉに立て掛けた状態で保持する。また、食器３の前方にあり食器の口縁部３ａと当接する基材２ｈに向けてセットする場合は、図３３（ｂ）に示すように、食器３の口縁部３ａを低い位置に配置した基材２ｈ上に設けた係止部材１ａで係止し、側周部３ｂもしくは糸底部３ｃを高い位置に配置した基材２ｉ上に設けた係止部材１ｂおよび１ｃで支持する状態で保持する。
【００７２】
コップ類をセットする場合は、図示しないが、コップ類の口縁部が高低差のある基材間に落ち込む状態でコップの開口部を斜め下方に向け、底部や糸切部の外周部を高い位置の基材に立て掛けた状態でセットすれば、糸切部に傾斜ができるため、乾燥後の糸切部への汚水残りを防ぐことができる。
【００７３】
なお、基材の形状や材質は、上記に記載のものに限定されるものではなく、例えば形状は、丸棒状だったりコップ類などの滑り止めとして小さな突起を設けたものであったり、または、洗浄や乾燥性能を高めるために穴などが空いた形状をしていても良い。材質に関しては、ステンレスやナイロンコーティングした鉄製ワイヤーなどを用いても良い。
【００７４】
（実施の形態８）
図３５は本発明の実施の形態８の食器設置具に食器をセットした斜視図、図３６は食器をセットした状態の食器正面から見た係止箇所を拡大した平面図である。本実施の形態において、実施の形態１〜７と同様の部分については同一符号を附し、その詳細な説明は省略する。
【００７５】
図３５に示すように、合成樹脂製の角材からなる基体２は、所定の間隔で複数本設けられた基材を有している。略水平面に対して同じ高さに一対の基材２ｇと基材２ｉとが略平行に設けられ、基材２ｇ及び基材２ｉと等間隔で略平行に、かつ、基材２ｇ及び基材２ｉより低くなるように基材２ｈを設けている。さらに、基材２ｇと略水平面に対して同じ高さである別の一対の基材２ｋと基材２ｍとの略中央に、基材２ｈより所定の間隔で低くなるように基材２ｌを基材２ｇなどと略平行に設けている。角材からなる基体連結部２ｆは
、基材２ｇ、基材２ｉ、及び基材２ｈと略垂直方向に当接して設けられている。基体２には、所定の間隔で球体から構成される係止部材１、および、その下方に基体２と接続するように設けられた円柱状の支持部５が、複数個設けられている。係止部材１および支持部５は基体２に所定の間隔で設けてあり、図１６のように平面視で正三角格子状に設けられていることが好ましい。
【００７６】
また、基体２に設けられた支持部５の間隔は、図２６に示すように食器設置具内のエリアによって、間隔が異なるように設けられていても良い。
【００７７】
次に、図３６を用いて本実施の形態の食器設置具にセットされた食器３Ａ（碗類）および食器３Ａより直径が大きく薄い食器３Ｃ（丸皿）の状態を説明する。なお、食器３のセットの仕方は本実施の形態１〜６で説明した内容でセットされるものとする。また、セットされた食器３の安定性は本実施の形態７で説明したように計４点または５点で係止および支持されるものであり、左右へ転がることなく安定したセットができるものである。
【００７８】
本実施の形態の食器設置具は、略水平面に対して同じ高さの１対の基材２ｇ及び基材２ｉ若しくは基材２ｋ及び基材２ｍと、その基材の間に１対の基材より低く配置された基材２ｈ若しくは基材２ｌの組み合わせを持ち、さらに基材２ｈと基材２ｌとが異なる高さに配置されているように基材間の高低差が複数存在するものである。
【００７９】
この食器設置具に食器３をセットする場合、図３５及び図３６に示すように、低い位置に配置された基材２ｈと、基材２ｈよりさらに低くなるように配置された基材２ｌとの上にそれぞれ設けられた係止部材１に対して、食器３の口縁部３ａを係止するようセットするが、直径が大きい食器３Ｃ（丸皿）は、高い位置に配置された基材２ｇおよび２ｉとの高低差が小さい基材２ｈの所定箇所にセットし、直径が小さい食器３Ａ（碗類）は、基材２ｋおよび２ｍとの高低差が大きい基材２ｌの所定箇所にセットすることで、それぞれが２点で基材２に支持されるため、左右に転がることなく安定したセットをすることができる。直径が大きい食器３ｃ（丸皿）の場合、基材２ｇ及び基材２ｉと食器３Ｃの口縁部とが当接する部分と、基材２ｇと基材２ｉとの中央に位置する食器３Ｃの口縁部３ａの最下部との高低差が、直径が小さい食器３Ａ（碗類）より小さいため、この高低差に対応するように基材２ｈを設ければ良いからである。
【００８０】
本実施の形態によれば、様々な方向にセット保持することができるとともに、直径（もしくは曲率）が異なる複数の食器３の種類に応じて最適なエリアを選択し、食器３を安定してセットすることができる。
【００８１】
（実施の形態９）
図３７は本発明の実施の形態９の食器設置具に食器をセットした斜視図、図３８は食器をセットした状態の食器正面から見た係止箇所を拡大した平面図である。本実施の形態において、実施の形態１〜８と同様の部分については同一符号を附し、その詳細な説明は省略する。
【００８２】
図３７において、合成樹脂製の角材からなる基体２は図に示すように、略水平面に対して同じ高さであり、所定の間隔Ｅで配置された一対の基材２ｇおよび２ｉと、その間に、基材２ｇと２ｉより所定の間隔で高さが低くなるように基材２ｈを設けた第１のエリアＥを備えている。また、略水平面に対して同じ高さであり、所定の間隔Ｆで配置された基材２ｎおよび２ｐと、その間に、基材２ｎと基材２ｐより所定の間隔で高さが低くなるように基材２ｏを設けた第２のエリアＦを備えている。基体２の間隔は、第１のエリアよりも第２のエリアの方が基体２の間隔が狭くなるように、（Ｅにおける基材の間隔）＞（Ｆにおける基材の間隔）に設定している。そして、各エリアで係止部材１が正三角格子状に配
置されるように係止部材１が配置されている。
【００８３】
以上のように構成された食器設置具について、以下その動作を説明する。図３８に示すように、丸皿などの直径が大きな食器をセットする際は、食器３Ｃ（丸皿）を第１のエリアＥに設けられてある係止部材１に係止させ、直径が小さい食器３Ａ（碗類）をセットする際は、第２のエリアＦに設けられてある係止部材１に係止させる。
【００８４】
本実施の形態によれば、様々な方向にセット保持することができるとともに、直径（もしくは曲率）が異なる複数の食器３の種類に応じて最適なエリアを選択し、食器３を左右に転がることなく安定してセットすることができる。
【００８５】
（実施の形態１０）
図３９は本発明の実施の形態１０の食器洗い機の構成図である。本実施の形態において、実施の形態１〜９と同様の部分については同一符号を附し、その詳細な説明は省略する。
【００８６】
図３９において、食器洗い機は、前面が開口する箱状の本体２０に電源２１が接続されている。本体２０には、略水平方向に引き出し可能な洗浄槽２２と、水道２３から洗浄槽２２に洗浄水を供給する給水経路２４と、洗浄槽２２から本体２０の外に洗浄水を排水する排水経路２５を備えており、給水経路２４と排水経路２５にはそれぞれ電磁弁からなる給水弁２６、排水弁２７を備えている。
【００８７】
洗浄水は給水口２８から洗浄槽２２内に供給され、洗浄槽２２の下部に設けられた排水口２９から排水を行う。給水弁２６および排水弁２７は制御手段３０によって自動制御される。洗浄槽２２の中には、食器３をセットする食器設置具３１が着脱自在に設けられている。洗浄槽２２は、上面に設けた開口を本体２０内に設けた内蓋（図示せず）で開閉自在にしてあり、本体２０から引き出すときに開放される。
【００８８】
食器設置具３１は、図４０に示すように、所定の間隔で略水平面に対して高低差があるように設けられたワイヤーからなる基体２と、基体２を連結する基体連結部２ｅと、基体２の上部に設けられた係止部材１とを備え、食器３を横倒れ姿勢で係止する。なお、食器設置具３１は、本発明の実施の形態１〜９に記載のいずれを用いてもよく、複数の材質を併せ持ったものでもよい。
【００８９】
洗浄手段は、本実施の形態では洗浄ノズル３２と、洗浄ノズル３２に洗浄水を供給する循環ポンプ３３と、洗浄槽２２から循環ポンプ３３を経由して洗浄ノズル３２に洗浄水を供給する循環経路３４とで構成しており、洗浄ノズル３２から噴射された洗浄水が食器３に衝突し汚れを洗浄する。なお、洗浄手段は、洗浄ノズル３２から洗浄水を噴射する構成に限定されるものではない。
【００９０】
以上のように構成された、食器洗い機について動作を説明する。使用時は、本体２０から洗浄槽２２を水平方向に引き出し、その後、食器３を食器設置具３１にセットする。全ての食器３のセットが終了すると、洗浄槽２２を本体２０に収容し洗浄を開始する。一般的には、洗浄工程、すすぎ工程、乾燥機能を有する場合は続けて乾燥工程を行う。洗浄終了後に、再び洗浄槽２２を本体２０から引き出して食器３を取り出し、食器３を全て取り出した後、洗浄槽２２を本体２０内に戻す。
【００９１】
以上のように、本発明の食器設置具３１を食器洗い機に用いることにより、設定されたセット場所に拘束されることなく、食器３を任意の場所と方向へ自由にセットすることができるとともに、食器３が左右に転がることなく安定して保持することができる。
【００９２】
なお、本発明の食器設置具を食器乾燥機に用いる場合は、食器等の被乾燥物を入れる乾燥室（図示せず）と、この乾燥室に乾燥用空気を送風するファン等の送風手段（図示せず）と、乾燥用空気を除湿および／または加熱する手段（図示せず）を設け、乾燥させる食器を食器設置具３１にセットし、乾燥室内で乾燥させる。
【００９３】
以上のように、本発明の食器設置具３１を食器乾燥機に用いることにより、設定されたセット場所に拘束されることなく、食器３を任意の場所と方向へ自由にセットすることができるとともに、安定して保持することができる。また、碗類の糸底の水切りができ、効率よく乾燥させることができる。特に、本実施の形態７〜９に記載の食器設置具を用いた場合は、基材間に高低差があることで食器内部への洗浄水および乾燥用空気が効率よく流入するため、洗浄性能と乾燥性能を高めることが可能である。
【００９４】
なお、本発明の食器設置具は、実施の形態に限定されるものではなく、目的、用途等にあわせて基体２と係止部材１を適宜組み合わせて実施することができる。
【産業上の利用可能性】
【００９５】
本発明の食器設置具は、食器が容易にセットでき、使い勝手をよくすることができるので、食器設置具として有用である。
【図面の簡単な説明】
【００９６】
【図１】本発明の実施の形態１の食器設置具に食器をセットした状態の斜視図
【図２】同食器設置具に食器をセットした状態の断面図
【図３】（ａ）〜（ｃ）同食器設置具に食器をセットした状態の平面図
【図４】同食器設置具に食器をセットした状態の他の例の断面図
【図５】同食器設置具に食器をセットした状態の他の例の平面図
【図６】本発明の実施の形態２の食器設置具に食器をセットした状態の斜視図
【図７】同食器設置具に食器をセットした状態の断面図
【図８】（ａ）〜（ｆ）同食器設置具に食器をセットした状態の平面図
【図９】本発明の実施の形態３の食器設置具に食器をセットした状態の斜視図
【図１０】同食器設置具に食器をセットした状態の断面図
【図１１】（ａ）〜（ｈ）同食器設置具に食器をセットした状態の平面図
【図１２】本発明の実施の形態４の食器設置具に食器をセットした状態の斜視図
【図１３】同食器設置具の断面図
【図１４】（ａ）（ｂ）同食器設置具の食器セット時の他の例の斜視図
【図１５】本発明の実施の形態５の食器設置具の斜視図
【図１６】同食器設置具に食器をセットした状態の平面図
【図１７】同食器設置具に食器をセットした状態の一例の斜視図
【図１８】同食器設置具に食器をセットした状態の一例の断面図
【図１９】同食器設置具に食器をセットした状態の他の一例の斜視図
【図２０】同食器設置具に食器をセットした状態の他の一例の断面図
【図２１】同食器設置具に食器をセットした状態の他の一例の斜視図
【図２２】同食器設置具に食器をセットした状態の他の一例の断面図
【図２３】同食器設置具に食器をセットした状態の他の一例の斜視図
【図２４】同食器設置具に食器をセットした状態の他の一例の断面図
【図２５】（ａ）〜（ｌ）同食器設置具に食器をセットした状態の平面図
【図２６】本発明の実施の形態６の食器設置具の斜視図
【図２７】同食器設置具に食器をセットした状態の斜視図
【図２８】本発明の実施の形態７の食器設置具の斜視図
【図２９】同食器設置具に食器をセットした状態の一例の斜視図
【図３０】同食器設置具に食器をセットした状態の一例の食器正面から見た係止箇所の平面図
【図３１】同食器設置具に食器を基材と平行にセットした状態の斜視図
【図３２】同食器設置具の下からセットした食器に洗浄水を噴射する状態の平面図
【図３３】同食器設置具に基材と平行になるように食器をセットした状態の斜視図
【図３４】本発明の実施の形態５の食器設置具にセットした状態の他の一例の斜視図
【図３５】本発明の実施の形態８の食器設置具に食器をセットした斜視図
【図３６】同食器設置具に食器をセットした状態の食器正面から見た係止箇所を拡大した平面図
【図３７】本発明の実施の形態９の食器設置具に食器をセットした斜視図
【図３８】同食器設置具に食器をセットした状態の食器正面から見た係止箇所を拡大した平面図
【図３９】本発明の実施の形態１０の食器洗い機の構成図
【図４０】同食器洗い機の食器設置具の斜視図
【図４１】従来の食器かごの側面図
【図４２】従来の他の食器かごの平面図
【符号の説明】
【００９７】
１  係止部材
２  基体
３  食器
３ａ  口縁部
３ｂ  側周部
４  係止部
６  収容部
【図１】
2010115220.tif 000003
【図２】
2010115220.tif 000004
【図３】
2010115220.tif 000005
【図４】
2010115220.tif 000006
【図５】
2010115220.tif 000007
【図６】
2010115220.tif 000008
【図７】
2010115220.tif 000009
【図８】
2010115220.tif 000010
【図９】
2010115220.tif 000011
【図１０】
2010115220.tif 000012
【図１１】
2010115220.tif 000013
【図１２】
2010115220.tif 000014
【図１３】
2010115220.tif 000015
【図１４】
2010115220.tif 000016
【図１５】
2010115220.tif 000017
【図１６】
2010115220.tif 000018
【図１７】
2010115220.tif 000019
【図１８】
2010115220.tif 000020
【図１９】
2010115220.tif 000021
【図２０】
2010115220.tif 000022
【図２１】
2010115220.tif 000023
【図２２】
2010115220.tif 000024
【図２３】
2010115220.tif 000025
【図２４】
2010115220.tif 000026
【図２５】
2010115220.tif 000027
【図２６】
2010115220.tif 000028
【図２７】
2010115220.tif 000029
【図２８】
2010115220.tif 000030
【図２９】
2010115220.tif 000031
【図３０】
2010115220.tif 000032
【図３１】
2010115220.tif 000033
【図３２】
2010115220.tif 000034
【図３３】
2010115220.tif 000035
【図３４】
2010115220.tif 000036
【図３５】
2010115220.tif 000037
【図３６】
2010115220.tif 000038
【図３７】
2010115220.tif 000039
【図３８】
2010115220.tif 000040
【図３９】
2010115220.tif 000041
【図４０】
2010115220.tif 000042
【図４１】
2010115220.tif 000043
【図４２】
2010115220.tif 000044